(57)【特許請求の範囲】
【請求項１】
体毛処理器であって、
櫛歯部を有する第１櫛歯体と、
櫛歯部を有し、該櫛歯部と前記第１櫛歯体の櫛歯部とが所定の間隔を有して対向するよう設けられた第２櫛歯体と、
前記第１櫛歯体の櫛歯部と前記第２櫛歯体の櫛歯部との間の空間に配設された発熱用ワイヤと、
前記体毛処理器に内蔵された照明用光源と、
スイッチと、
電源と、
前記電源と前記スイッチと前記照明用光源と前記発熱用ワイヤとが電気的に接続される配線
とを具備してなり、
前記発熱用ワイヤの一端はフック部を有する掛止片に掛止され、前記発熱用ワイヤの他端はフック部を有する掛止片に掛止され、該掛止片は螺子によって取り付けられていて該螺子の取付螺合によって該発熱用ワイヤには張力が作用してなり、
前記第１櫛歯体および前記第２櫛歯体は不透明材で構成されてなり、
前記第１櫛歯体および前記第２櫛歯体の内壁面は白色であり、
前記スイッチオンによる前記照明用光源の光が、前記不透明材からなる第１櫛歯体と前記不透明材からなる第２櫛歯体とによって、該第１櫛歯体の白色内壁面と該第２櫛歯体の白色内壁面との間の空間を案内され、該第１櫛歯体と該第２櫛歯体との間の前記櫛歯部側の開口部から出光されるよう構成されてなる
ことを特徴とする体毛処理器。
【請求項２】
第１櫛歯体および第２櫛歯体は白色顔料含有樹脂材で構成されてなる
ことを特徴とする請求項１の体毛処理器。
【請求項３】
吸気手段を更に具備してなり、
前記発熱用ワイヤによる体毛処理時に発生する臭気が前記吸気手段で吸引されるよう構成されてなる
ことを特徴とする請求項１又は請求項２の体毛処理器。
【請求項４】
フィルタを更に具備してなり、
前記吸気手段で吸引された臭気が外部に排出される前に前記フィルタで処理されるよう構成されてなる
ことを特徴とする請求項３の体毛処理器。
【請求項５】
前記スイッチオンにより、前記照明用光源が明るくなると共に、前記吸気手段が吸引作動するよう構成されてなる
ことを特徴とする請求項３又は請求項４の体毛処理器。
【発明の詳細な説明】
【技術分野】
【０００１】
本発明は体毛処理器に関する。
【背景技術】
【０００２】
無駄毛処理がハイレグ水着やレオタード着用の前に行われる。この無駄毛処理に使用される体毛処理器として、間隔をおいて対峙する一対の櫛歯板を有する櫛歯部と、上記櫛歯部の櫛歯板間に配設され、櫛歯の間に梳き入れた体毛に接触して焼き切るヒータワイヤとを具備する体毛切断処理器において、上記ヒータワイヤの一端を繋着する第１の電極片と、上記ヒータワイヤの他端を繋着するフックを有すると共に、このヒータワイヤに張力を付勢するコイル部を有する弾性を有するワイヤばねにて形成される第２の電極片と、上記第１及び第２の電極片を装着すると共に、上記第２の電極片の接続端部を取付孔の周縁近傍に配設してなる保持体とからなるヒータワイヤユニットを具備し、上記ヒータワイヤユニットの取付孔を貫通する取付ねじをもってこのヒータワイヤユニットを上記櫛歯部に取付可能に形成すると共に、上記第１及び第２の電極片を給電用電極端子に接続可能に形成し、上記ヒータワイヤと並列に接続され、ヒータワイヤの通電により発光する発光素子と、この発光素子の電気回路に直列に接続されて発光素子への電圧を抑制する消耗表示用素子とからなる発光表示手段を具備することを特徴とする体毛切断処理器が提案（特許第３６８２６９７号）されている。
【先行技術文献】
【特許文献】
【０００３】
【特許文献１】特許第３６８２６９７号
【発明の概要】
【発明が解決しようとする課題】
【０００４】
ところで、前記提案の体毛切断処理器では処理作業性が悪い。すなわち、本製品は、その特性から、明るい場所で使用されることが少ない。明々と灯りをつけた環境下で使用されることは殆ど無い。どちらかと言えば、比較的暗い室内でひっそりと行われることが多い。そして、使用環境は比較的暗いが故に、体毛処理残しが起きる。
【０００５】
従って、本発明が解決しようとする課題は上記問題点を解決することである。すなわち、本発明が解決しようとする第１の課題は、体毛処理作業性に優れ、処理残しが少ない体毛処理器を提供することである。
【０００６】
本発明が解決しようとする第２の課題は、体毛処理時に発生する臭気を除去でき、処理作業性に優れた体毛処理器を提供することである。
【課題を解決するための手段】
【０００７】
前記第１の課題は、
櫛歯部を有する第１櫛歯体と、
櫛歯部を有し、該櫛歯部と前記第１櫛歯体の櫛歯部とが所定の間隔を有して対向するよう設けられた第２櫛歯体と、
前記第１櫛歯体の櫛歯部と前記第２櫛歯体の櫛歯部との間の空間に配設された発熱用ワイヤと、
照明用光源と、
スイッチと、
電源と、
前記電源と前記スイッチと前記照明用光源と前記発熱用ワイヤとが電気的に接続される配線
とを具備してなる体毛処理器であって、
前記照明用光源は、前記スイッチオンによる前記照明用光源からの光が前記体毛処理器による処理部を照らすよう構成されてなる
ことを特徴とする体毛処理器によって解決される。
【０００８】
前記第１の課題は、
櫛歯部を有する第１櫛歯体と、
櫛歯部を有し、該櫛歯部と前記第１櫛歯体の櫛歯部とが所定の間隔を有して対向するよう設けられた第２櫛歯体と、
前記第１櫛歯体の櫛歯部と前記第２櫛歯体の櫛歯部との間の空間に配設された発熱用ワイヤと、
照明用光源と、
スイッチと、
電源と、
前記電源と前記スイッチと前記照明用光源と前記発熱用ワイヤとが電気的に接続される配線
とを具備してなる体毛処理器であって、
前記第１櫛歯体および前記第２櫛歯体は半透明材ないしは不透明材で構成されてなり、
前記スイッチオンによる前記照明用光源の光が、前記半透明材ないしは不透明材からなる第１櫛歯体と前記半透明材ないしは不透明材からなる第２櫛歯体とによって、該第１櫛歯体と該第２櫛歯体との間の空間を案内され、該第１櫛歯体と該第２櫛歯体との間の前記櫛歯部側の開口部から出光されるよう構成されてなる
ことを特徴とする体毛処理器によって解決される。
【０００９】
前記第１及び第２の課題は、
前記体毛処理器であって、吸気手段を更に具備してなり、前記発熱用ワイヤによる体毛処理時に発生する臭気が前記吸気手段で吸引されるよう構成されてなることを特徴とする体毛処理器によって解決される。
【００１０】
好ましくは、前記体毛処理器であって、フィルタを更に具備してなり、前記吸気手段で吸引された臭気が外部に排出される前に前記フィルタで処理されるよう構成されてなることを特徴とする体毛処理器によって解決される。
【００１１】
好ましくは、前記体毛処理器であって、前記スイッチオンにより、前記照明用光源が明るくなると共に、前記吸気手段が吸引作動するよう構成されてなることを特徴とする体毛処理器によって解決される。
【発明の効果】
【００１２】
体毛処理は、どちらかと言えば、電灯を明々と点けた明るい雰囲気下で行うと言うよりも、薄暗い雰囲気下で行われる。そして、体毛処理が終った後、電灯を明々と点け、体毛処理の仕残しが無いかをチェックするようなものでは無い。この為、体毛処理を部分的に仕残してしまう恐れが高い。しかしながら、本発明にあっては、体毛処理時に、照明用光源の光によって処理部が明るく照らされる。従って、薄暗い雰囲気下で行われても、体毛処理の作業性が良く、体毛処理を仕残すと言ったことが大きく改善される。
【図面の簡単な説明】
【００１３】
【図１】本発明になる体毛処理器の分解状態での斜視図
【図２】本発明になる体毛処理器の組立状態での斜視図
【図３】回路図
【発明を実施するための形態】
【００１４】
本発明は体毛処理器である。本処理器は、第１櫛歯体と、第２櫛歯体とを具備する。前記櫛歯体は、各々、櫛歯部を有する。そして、第１櫛歯体の櫛歯部と第２櫛歯体の櫛歯部とが対向するよう、かつ、櫛歯部同士が或る距離（間隙）を持っているように櫛歯体が配設されている。本処理器は発熱用ワイヤを有する。前記発熱用ワイヤは、前記第１櫛歯体の櫛歯部と前記第２櫛歯体の櫛歯部との間の空間（間隙）に配設されている。本処理器は、照明用光源と、スイッチと、電源と、前記電源と前記スイッチと前記照明用光源と前記発熱用ワイヤとが電気的に接続される配線とを有する。
【００１５】
前記照明用光源は、前記スイッチオンによる前記照明用光源からの光が前記体毛処理器による処理部を照らすよう構成されている。或いは、例えば本処理器の第１櫛歯体および第２櫛歯体は半透明材ないしは不透明材で構成されている。特に、不透明材で構成される。中でも光反射性（導光性）に富む不透明材で構成される。例えば、白色系の不透明材で構成される。そして、スイッチオンによる前記照明用光源の光が、第１櫛歯体と第２櫛歯体とによって間の空間を案内され、第１櫛歯体と第２櫛歯体との間の櫛歯部側の開口部から出光されるよう構成されている。
【００１６】
本処理器は、好ましくは、吸気手段を有する。そして、前記発熱用ワイヤによる体毛処理時に発生する臭気が前記吸気手段で吸引されるよう構成されている。好ましくは、更に、フィルタを有する。そして、前記吸気手段で吸引された臭気が外部に排出される前に前記フィルタで処理されるよう構成されている。すなわち、発生した臭気が前記フィルタに吸着されることにより、臭気の拡散を防止でき、臭気が抑えられるようになる。又、前記スイッチオンにより、前記照明用光源が明るくなると共に、前記吸気手段が吸引作動するよう構成されている。
【００１７】
以下、更に詳しく説明する。
【００１８】
図１は本発明になる体毛処理器の分解状態での斜視図、図２は組立状態での斜視図、図３は回路図である。
【００１９】
各図中、Ａは体毛処理器である。体毛処理器Ａは、大別して、先端側の櫛歯体１と、後端側の把持部２とを具備する。
【００２０】
櫛歯体１は、櫛歯半体（第１櫛歯体）３ａと、櫛歯半体（第２櫛歯体）３ｂとの合体で構成される。櫛歯半体３ａ，３ｂは、白色顔料を含有する樹脂材を用いて所望の形状に成型されたものである。櫛歯半体３ａの先端下端側は櫛歯形状に成型されており、櫛歯部４ａが構成されている。櫛歯半体３ｂの先端下端側も櫛歯形状に成型されており、櫛歯部４ｂが構成されている。そして、櫛歯半体３ａと櫛歯半体３ｂとを合体して櫛歯体１を構成した場合、櫛歯部４ａと櫛歯部４ｂとが対向し、かつ、櫛歯部４ａと櫛歯部４ｂとは所望の間隙を有するものとなるよう構成されている。この櫛歯部４ａと櫛歯部４ｂとの間の間隙（空間）において、櫛歯体１の長手方向に沿って、発熱用ワイヤ５が張られている。そして、櫛歯体１の櫛歯部４ａ，４ｂで梳かれた体毛は発熱した発熱用ワイヤ５によって焼切られるようになっている。
【００２１】
発熱用ワイヤ５の取付構造は次の通りである。櫛歯半体３ａにおける櫛歯部４ａの先端側の位置Ｐ１において、フック部６ａを有する掛止金属片６が螺子７によって取り付けられている。櫛歯半体３ａにおける櫛歯部４ａの後端側の位置Ｐ２において、フック部８ａを有する掛止金属片８が螺子９によって取り付けられている。螺子７，９の中の一方の螺子は、その螺着に際して、フック部６ａとフック部８ａとに掛止されている発熱用ワイヤ５に伸展方向の力が加わるように螺子溝方向が形成されている。従って、螺子で掛止金属片を螺着する時、螺子回動力が摩擦で掛止金属片に作用することから、発熱用ワイヤ５は、ダレることなく、ピンと張られたものとなる。
【００２２】
把持部２は筒体である。この筒体（把持部）２は、絶縁性の樹脂からなる内層筒体１０と、例えばＡｌ製の外層筒体１１とから構成されている。内層筒体１０は内層筒半体１０ａと内層筒半体１０ｂとで構成されている。すなわち、内層筒半体１０ａと内層筒半体１０ｂとを合体させることにより、円筒状の内層筒体１０が構成される。内層筒半体１０ａの先端側に櫛歯半体３ａが接続一体化できるよう構成されている。内層筒半体１０ｂの先端側に櫛歯半体３ｂが接続一体化できるよう構成されている。そして、櫛歯半体３ａが接続一体化された内層筒半体１０ａと、櫛歯半体３ｂが接続一体化された内層筒半体１０ｂとを合体した場合、内層筒半体１０ａと内層筒半体１０ｂとで内層筒体１０が構成されると共に、櫛歯半体３ａと櫛歯半体３ｂとで櫛歯体１が構成される。勿論、この時、櫛歯部４ａと櫛歯部４ｂとが対向し、かつ、櫛歯部４ａと櫛歯部４ｂとは所望の間隙を有するものとなるよう構成されている。尚、櫛歯半体３ａと内層筒半体１０ａとが、又、櫛歯半体３ｂと内層筒半体１０ｂとが一体成型されたものであっても、別体で成型後に結合されたものであっても良い。
【００２３】
１２は電池である。この電池１２は内層筒体１０内に装填されている。
【００２４】
１３は電球である。この電球１３は櫛歯体１の内奥部に配設されている。そして、電球１３がスイッチオンとなって灯りをともした場合、この灯りは、櫛歯半体３ａ，３ｂの内壁面に案内（導光）されて、櫛歯部４ａ，４ｂ箇所の開口部４ｃから出光する。尚、櫛歯半体３ａ，３ｂは白色顔料含有樹脂材で構成されていることから、即ち、櫛歯半体３ａ，３ｂの内壁面は光反射効率が高い白色系の色であることから、電球１３からの光が効率良く反射・導光される。従って、開口部４ｃからの出光量が多い。そして、周囲が明るく照らされる。
【００２５】
１４はファン装置である。このファン装置１４のファン部１４ａは櫛歯体１の最内奥部（電球１３配設位置よりも更に奥側位置）に配設されており、モータ部１４ｂは内層筒体１０内側に配設されている。そして、櫛歯体１と内層筒体１０とを仕切る天板部に孔が形成されており、この孔にモータ部１４ｂのモータ軸が配設されている。このモータ軸はファン部１４ａに連結されており、モータの回転によってファン部１４ａの羽根が回転する。そして、ファン部１４ａの羽根が回転すると、ファン部１４ａの先端側（櫛歯体１の櫛歯部４ａ，４ｂ側）に存する櫛歯体１内部の気体が吸い込まれるように構成されている。この吸い込まれた気体は、ファン部１４ａが位置する櫛歯体１の周壁面に形成されているスリット１５から外部に排出されるよう構成されている。尚、スリット１５形成部にはフィルタ（図示せず）が配設されており、スリット１５を介して外部に臭気含有気体が排出されるに際して、臭気がフィルタによって処理を受けるようになっている。従って、外部に排出される気体には悪臭が少ないものとなっている。
【００２６】
１６はスイッチ部である。１７は、発熱用ワイヤ５と電球１３とスイッチ部１６とモータ部１４ｂと電池１２とを結線しているリード線である。これ等の全ては、図３からも判る通り、直列に接続されている。従って、電池１２の寿命が尽きた場合には、スイッチをオンにすれば、このことが直ちに判る。１８は筒体（把持部）２の後方開口部を塞ぐ蓋体であり、この蓋体１８には内部に収納された電池１２（電池１２の負極）との接続用のコイルスプリングが取り付けられている。
【００２７】
上記の如くに構成させた体毛処理器Ａは、使用に際して、先ず、スイッチ部１６が作動させられ、スイッチオン状態となる。そうすると、電球１３が発光する。又、発熱用ワイヤ５が発熱する。この後、処理部に近づけて、体毛を櫛歯部４ａ，４ｂで梳くと、体毛は発熱した発熱用ワイヤ５によって焼切られる。この時、体毛処理は、どちらかと言えば、電灯を明々と点けた明るい雰囲気下で行うと言うりも、薄暗い雰囲気下で行われる。そして、終った後、電灯を明々と点け、体毛処理の仕残しが無いかをチェックするようなものでは無い。この為、処理を部分的に仕残してしまう恐れが高い。しかしながら、本発明にあっては、体毛処理時に、電球１３の光が導かれて開口部４ｃに至り、周囲を明るく照らしていることから、体毛処理を仕残しているか否かが作業中に判る。従って、体毛処理を仕残していると言った事態の発生が非常に少なくなる。すなわち、体毛処理作業性に優れている。
【００２８】
体毛処理は、通常、締め切った室内で行われるのが普通である。従って、体毛焼切によって発生した異臭は室内に充満してしまう。しかしながら、上記実施形態の如く、吸気手段やフィルタを具備させていた場合には、体毛焼切時に発生する異臭を処理でき、異臭に大きく困ると言った事態を改善できる。
【００２９】
又、上記実施形態の体毛処理器は、スイッチオンにすれば、配線に欠陥が無いか否かを直ちに判定できる。
【００３０】
又、櫛歯部４ａ，４ｂで体毛を梳き揃えながら加熱された発熱用ワイヤ５を体毛の適当長さ部分に接触させることで、発熱用ワイヤ５に接触した体毛部分は簡単に焼き切られる。この焼き切られた体毛の毛先は、鋏や剃刀等の刃物で切断した場合とは異なり、先鋭とはならず、丸味が有るものとなり、刺さると言った刺激感が少ない。又、刃物による場合のように毛先に亀裂が生じる等の不具合が起きない。
【００３１】
尚、上記実施形態では電源に電池が用いられたが、外部電源（室内のコンセント）に接続されて用いられるものでも良い。又、電球１３が櫛歯体１の内奥部に設けられたものとしたが、ＬＥＤ等の照明用光源を開口部４ｃに対向させて設けても良い。このようにしたならば、直接、処理部が照らされる。
【符号の説明】
【００３２】
Ａ                体毛処理器
１                櫛歯体
２                把持部（筒体）
３ａ              櫛歯半体（第１櫛歯体）
３ｂ              櫛歯半体（第２櫛歯体）
４ａ，４ｂ        櫛歯部
４ｃ              開口部
５                発熱用ワイヤ
６，８            掛止金属片
７，９            螺子
１０              絶縁性樹脂内層筒体
１０ａ，１０ｂ    内層筒半体
１１              外層筒体
１２              電池
１３              電球
１４              ファン装置
１４ａ            ファン部
１４ｂ            モータ部
１５              スリット
１６              スイッチ部
１７              リード線
１８              蓋体
【図１】
0005796305.tif 000002
【図２】
0005796305.tif 000003
【図３】
0005796305.tif 000004